(57)【要約】【課題】  スライド棚板位置決め装置の提供。【解決手段】  棚板に接続された一組のスライド部を具え、該スライド部は伸出及び縮入位置を具え且つ固定ケースと少なくとも一つのスライドレールを具え、該スライドレールは固定ケースに接続されている。本考案の特徴は、少なくとも一つの位置決め構造を具え、それは、係止部品、固定部品及び位置決め部品を具え、該係止部品はスライドと固定ケースの間に設置されて第１貫通孔と位置決め溝を具え、該固定部品は第１貫通孔を通過してスライドと接続され、該位置決め部品は、固定ケースの側面の一端に位置し、スライド部が伸長位置から縮入位置に戻る時、係止部品が施力の案内により位置決め溝と位置決め部品を係合させてスライド部を位置決めすることにある。【選択図】        図１
0003109546.tif 000002
【実用新案登録請求の範囲】
【請求項１】
棚板に接続された一組のスライド部を具え、該スライド部は伸出及び縮入位置を具え且つ固定ケースと少なくとも一つのスライドを具え、該スライドは固定ケースに接続されている、スライド棚板位置決め装置において、少なくとも一つの位置決め構造を具え、該位置決め構造は、係止部品、固定部品、位置決め部品を具え、
該係止部品はスライドと固定ケースの間に設置されて少なくとも一つの側面と上面を具え、該側面の一端に第１貫通孔が設けられ、別端に位置決め溝が設けられ、該上面は該側面と接続され、
該固定部品は第１貫通孔を通過してスライドと接続され、
該位置決め部品は、固定ケースのスライドに対向する側面の一端に位置し、特定距離を以て固定ケースに接続され、
該スライド部が伸長位置から縮入位置に戻る時、該位置決め溝が該位置決め部品と対応し、施力の案内により該位置決め溝と該位置決め部品が係合してスライド部が位置決めされることを特徴とする、スライド棚板位置決め装置。
【請求項２】
請求項１記載のスライド棚板位置決め装置において、ねじりバネを更に具え、該ねじりバネの第２貫通孔を固定部品が通過し且つ第１弾性端でスライドの上部凸面に接続され、第２弾性端で側面の孔に接続されることを特徴とする、スライド棚板位置決め装置。
【請求項３】
請求項２記載のスライド棚板位置決め装置において、施力がねじりバネの提供する弾力とされたことを特徴とする、スライド棚板位置決め装置。
【請求項４】
請求項１記載のスライド棚板位置決め装置において、施力が重力とされたことを特徴とする、スライド棚板位置決め装置。
【請求項５】
請求項１記載のスライド棚板位置決め装置において、係止部品の上面前端に凹溝が設けられ、該凹溝が伸長位置にある時にスライドの前端上面と接触し、係止部品とスライドが特定角度をなすことを特徴とする、スライド棚板位置決め装置。
【考案の詳細な説明】
【技術分野】
【０００１】
本考案はスライド棚板位置決め装置に係り、特に、施力の案内を利用してスライドレールを特定位置に固定するスライド棚の位置決め装置に関する。
【背景技術】
【０００２】
伝統的な棚は市場で広く利用され、本棚、或いは調味料棚、更に開放式の衣装棚は、いずれも大型売り場の主力低価格商品となっている。
【０００３】
消費者は価格のほか、棚の材質及び支持力を重要な選択条件としている。
【０００４】
いかに高い付加価値を有する製品を開発するかを業者は研究しており、例えばコンビニエンスストアに設置される飲料用の陳列棚には二種類があり、一種類は密閉式の冷蔵棚であり、アルミ缶、ＰＥＴボトル及びアルミパック等の摩擦力が比較的小さい包装の飲料の設置に供され、また棚板は前が低く後ろが高い傾斜状に設置され、消費者がドアを開けて前端の飲料を取り出すと、後方の飲料が重力により自動的に最前端の位置までスライドして次の客の取り出しに便利とされている。このような冷蔵棚は客が商品を取り出すのに便利であるが、商品を補填する店の者にとっては、新しい飲料を最後端に入れねばならないという不便がある。すなわち、飲料を賞味期限内に販売しなければならず、内層の飲料ほど冷たいため、もし第１列に飲料を補填すると、消費者は永遠に最後の一列の飲料を取り出すことがなく、飲料が賞味期限切れになってしまい、また消費者が冷たい飲料を取り出せず、店に実質的損害を与え、また店の評判を落とすためである。このため冷蔵棚には両面冷蔵庫が使用され、それは斜面の高さを利用し後ろのドアより商品を補填し、消費者が前のドアを開けて飲料を取り出せる。ただし冷蔵庫自体の体積が膨大で、前後の商品取り出しと補填のための空間が必要であり、店舗に高い家賃をとられる都市の業者にしてみれば非常に大きな浪費である。
【０００５】
もう一種類の冷蔵棚は開放式冷蔵棚であり、冷蔵棚に設置される棚板上の飲料は消費者が直接取り出すことができ、棚板の背後より新しい飲料を補充することはできない。
【０００６】
以上をまとめると、伝統的な陳列棚には以下のような欠点がある。
１．現在市販されている商品の陳列棚の棚板の底面前端は、それより下層の棚板を引き出す時、飲料の高さが高過ぎると、上層の棚板底面に設置された支持フレームにぶつかり、下層の棚板上の飲料が倒れる。
２．現在市販されているスライドレールの設計の面積は過大であり、飲料を挿入するとき、棚板の両側の空間がスライドレールに阻止され、棚板の左右両側の空間を浪費し、且つ飲料を置き入れることができない。
３．現在市販されている棚の棚板の厚さは一般に厚過ぎ、空間の分配が容易でなく、各棚板を累積後の厚さが相当に大きくなり、空間の浪費を形成する。
４．現在市販されているスライドレール位置決め装置の設計の多くは位置決め弾性片の設計とされ、位置決め弾性片の形状は手を傷つけやすく、且つ突出しすぎ、使用者が棚板を出し入れする時に位置決め弾性片で怪我をしやすい。
５．周知の位置決め弾性片の設計は、位置決め後にスライドレールを伸展させるのに一定の力を加えることが必要で、女性の作業員にとっては、相当に不便であり、このほか位置決め弾性片の設計は２片の位置決め弾性片が同時に位置決め不能である問題を発生する。
６．周知の棚板には２節式スライドレールが使用されているが、このために棚板を完全に引き出すことができず、いわゆる半伸展式とされ、ゆえに棚板後端の部分に商品を置きにくい問題を有効に解決できない。
【考案の開示】
【考案が解決しようとする課題】
【０００７】
本考案の主要な目的は、一種のスライド棚板位置決め装置を提供することにあり、それは、係止部品が重力で案内する方式を利用してスライド部の固定を達成するものとする。
【０００８】
本考案の次の目的は、一種のスライド棚板位置決め装置を提供することにあり、それは、スライド部の起動スライド設計が、使用者が完全に棚板を引き出して商品交換の作業を行なうのに便利であるものとする。
【０００９】
本考案のまた別の目的は、一種のスライド棚板位置決め装置を提供することにあり、それは、支持フレームにより棚板を支持するのに必要な力を提供し、棚板が一定重量の商品を載置できるものとする。
【００１０】
本考案は一種のスライド棚板位置決め装置を提供し、棚板に接続された一組のスライド部を具え、該スライド部は伸出及び縮入位置を具え且つ固定ケースと少なくとも一つのスライドレールを具え、該スライドレールは固定ケースに接続されている。本考案の特徴は、少なくとも一つの位置決め構造を具え、それは、係止部品、固定部品及び位置決め部品を具え、該係止部品はスライドと固定ケースの間に設置されて第１貫通孔と位置決め溝を具え、該固定部品は第１貫通孔を通過してスライドと接続され、該位置決め部品は、固定ケースの側面の一端に位置し、スライド部が伸長位置から縮入位置に戻る時、係止部品が施力の案内により位置決め溝と位置決め部品を係合させてスライド部を位置決めすることにある。
【課題を解決するための手段】
【００１１】
請求項１の考案は、棚板に接続された一組のスライド部を具え、該スライド部は伸出及び縮入位置を具え且つ固定ケースと少なくとも一つのスライドを具え、該スライドは固定ケースに接続されている、スライド棚板位置決め装置において、少なくとも一つの位置決め構造を具え、該位置決め構造は、係止部品、固定部品、位置決め部品を具え、
該係止部品はスライドと固定ケースの間に設置されて少なくとも一つの側面と上面を具え、該側面の一端に第１貫通孔が設けられ、別端に位置決め溝が設けられ、該上面は該側面と接続され、
該固定部品は第１貫通孔を通過してスライドと接続され、
該位置決め部品は、固定ケースのスライドに対向する側面の一端に位置し、特定距離を以て固定ケースに接続され、
該スライド部が伸長位置から縮入位置に戻る時、該位置決め溝が該位置決め部品と対応し、施力の案内により該位置決め溝と該位置決め部品が係合してスライド部が位置決めされることを特徴とする、スライド棚板位置決め装置としている。
請求項２の考案は、請求項１記載のスライド棚板位置決め装置において、ねじりバネを更に具え、該ねじりバネの第２貫通孔を固定部品が通過し且つ第１弾性端でスライドの上部凸面に接続され、第２弾性端で側面の孔に接続されることを特徴とする、スライド棚板位置決め装置としている。
請求項３の考案は、請求項２記載のスライド棚板位置決め装置において、施力がねじりバネの提供する弾力とされたことを特徴とする、スライド棚板位置決め装置としている。
請求項４の考案は、請求項１記載のスライド棚板位置決め装置において、施力が重力とされたことを特徴とする、スライド棚板位置決め装置としている。
請求項５の考案は、請求項１記載のスライド棚板位置決め装置において、係止部品の上面前端に凹溝が設けられ、該凹溝が伸長位置にある時にスライドの前端上面と接触し、係止部品とスライドが特定角度をなすことを特徴とする、スライド棚板位置決め装置としている。
【考案の効果】
【００１２】
本考案は操作が容易で、製造が簡単で取り付けが容易であり、ゆえに業界の要求を満足し、産業上の競争力を高めることができ、従来の陳列棚の問題を解決する。
【考案を実施するための最良の形態】
【００１３】
図１は本考案のスライド棚板位置決め装置の立体分解図である。このスライド棚１は、一対の支持フレーム１１（図には一方の支持フレーム１１のみ表示）、一対のスライド部１２（図には一方のスライド部１２のみ表示）、棚板１３及び一組の位置決めフレーム２を具えている。該支持フレーム１１は、第１支持部１１１、第２支持部１１２及び第３支持部１１３を具え、該位置決めフレーム２は複数の位置決め空間２１を具え、且つ該位置決め空間２１は第１支持部１１１、第２支持部１１２及び第３支持部１１３に対応し、該位置決め空間２１は第１支持部１１１、第２支持部１１２及び第３支持部１１３を収容可能で、これにより支持フレーム１１が該位置決めフレーム２に係合されて棚板１３を支持するのに必要な支持力を提供する。該スライド部１２は支持フレーム１１の一側に接続される。該棚板１３は、前受け板１３１、後ろ受け板１３２、左受け板１３３、右受け板１３４、中央受け板１３５、ホルダフレーム１３６及び板体１３７を具えている。該棚板１３の両側は上記一対のスライド部１２と相互に当接するよう固定され、スライド部１２に伴いスライドする。
【００１４】
図２は本考案のスライド棚板位置決め装置のスライド部１２の組合せ表示図である。スライド部１２は固定ケース１２１、第１スライド１２２、第２スライド１２３、及び位置決め構造１４を具えている。そのうち、固定ケース１２１は端面１２１１を具えたケースであり、且つ該支持フレーム１１（図示せず）の一側平面と相互に接合されてネジで分散固定されている。該第１スライド１２２は固定ケース１２１の一側に位置し、該第１スライド１２２は更に第１スライド面１２２１と第２スライド面１２２２を具えている。該第１スライド面１２２１は固定ケース１２１の一側と結合されて、固定ケース１２１に対してスライドし、該第２スライド１２３は、第２スライド面１２２２側に位置し、該第２スライド面１２２２と結合され、該第２スライド１２３は第３貫通孔１２３１を具えたケースとされ、該第２スライド１２３は第１スライド１２２に対してスライドする。該位置決め構造１４は、第２スライド１２３と固定ケース１２１の間に位置する。該位置決め構造１４は、係止部品１４１、固定部品１４４及び位置決め部品１４２で構成されている。該位置決め部品１４２は固定ケース１２１の一側に位置し、該端面１２１１と特定距離ｄを保持するように該固定ケース１２１と結合されている。
【００１５】
図３は本考案のスライド棚板位置決め装置の係止部品の立体図である。該係止部品１４１は二つの側面１４１８、１４１９及び上面１４１７を具え、該二つの側面１４１８、１４１９の一端に第１貫通孔１４１３、１４１３ａが設けられ、そのうち一つの側面１４１８の別端に位置決め溝１４１２が設けられている。該上面１４１９は前端に凹溝１４１１を具えている。該位置決め溝１４１２は、該位置決め部品１４２（図２参照）と組み合わされる。該第１貫通孔１４１３、１４１３ａは、第３貫通孔１２３１（図２参照）と対応し、該固定部品１４４が第１貫通孔１４１３、１４１３ａを通過して第３貫通孔１２３１と組み合わされ、これにより係止部品１４１が固定部品１４４を軸として上下に揺動する。本実施例中、該固定部品はリベットとされている。
【００１６】
続いて本考案の位置決め動作について説明する。スライド部１２が伸長状態（図１３）から縮入位置３（図１２）に戻る時、図４の本考案のスライド棚板位置決め装置のスライド部の第１縮入状態の側面図に示されるように、使用者によりスライド部１２に施力されることで、該スライド部１２が縮入方向６に沿って移動し、第１縮入状態を形成する。図５の本考案のスライド棚板位置決め装置のスライド部の第２縮入状態の側面図に示されるように、該スライド部１２が続いて縮入方向６に沿って移動する時、該係止部品１４１のスライド面１４１４は位置決め部品１４２と接触し、第２縮入状態４２を形成する。図６の本考案のスライド棚板位置決め装置のスライド部の第３縮入状態の側面図に示されるように、該スライド部１２が続いて縮入方向６に沿って移動する時、該係止部品１４１は位置決め部品１４２に接触した状態でスライド面１４１４に沿って続いてスライドし、該スライド部１２が第３縮入状態４３に到達した時、該位置決め溝１４１２が位置決め部品１４２と対応し、重力の案内により位置決め溝１４１２と該位置決め部品１４２が係合し、第４縮入状態４４を形成する（図７）。これによりスライド部１２が縮入位置３に図１２のように位置決めされる。
【００１７】
続いて、本考案の伸長動作について説明する。スライド部１２が縮入位置３（図１２）より伸出する時、図８の本考案のスライド棚板位置決め装置のスライド部の第１伸長状態側面図に示されるように、使用者は、該上面１４１７の前端に設置された操作面１４１５に軽く作用力８を加えて係止部品１４１を位置決め部品１４２より離脱させて第１伸長状態５１を形成させる。図９の本考案のスライド棚板位置決め装置のスライド部の第２伸長状態側面図に示されるように、使用者は簡単にスライド部１２を引き出すことができ、スライド部１２を伸長方向７に沿って移動させることができる。スライド部１２が続けて伸長方向７に沿って移動する時、該スライド部１２は第２伸長状態５２を形成する。図１０の本考案のスライド棚板位置決め装置のスライド部の第３伸長状態側面図に示されるように、使用者は楽にスライド部１２と続けて伸長方向７に沿って移動させて第３伸長状態５３を形成させ、最終的に作業を行なう位置に到達させることができる。図１１は本考案のスライド棚板位置決め装置の係止部品と第２スライドが形成する夾角表示図である。該凹溝１４１１は第３伸長状態５３の時、該第２スライド１２３の前端上面１２３３と接触し、係止部品１４１と第２スライド１２３に特定角度θを形成させる。
【００１８】
図１４及び図１５は本考案のスライド棚板位置決め装置の別の実施例の立体組合せ図及び側面図である。本実施例中、位置決め構造１４は更にねじりバネ１４３を更に具え、該ねじりバネ１４３はその第２貫通孔１４３１を固定部品１４４が通過し且つ第１弾性端１４３２でスライドの上部凸面１２３２に接続され、第２弾性端１４３３でその側面の孔１４１６に接続される。該ねじりバネ１４３の提供する弾性力により、該位置決め溝１４１２が位置決め部品１４２と対応する時、該ねじりバネの弾性力の案内により、該位置決め溝１４１２が位置決め部品１４２と係合し、良好な係合効果を達成する。操作動作は前述の内容と同じであるため重複した説明は行なわない。
【００１９】
以上は本考案の好ましい実施例にすぎず、本考案の範囲を限定するものではなく、本考案の実用新案登録請求の範囲の記載に基づきなしうる細部の修飾或いは改変であって、本考案の精神と範囲より逸脱しないものは、いずれも本考案の更なる実施情況と見なす。
【００２０】
総合すると、本考案は操作が容易で、製造が簡単で取り付けが容易であり、ゆえに業界の要求を満足し、産業上の競争力を高めることができる。
【図面の簡単な説明】
【００２１】
【図１】本考案のスライド棚板位置決め装置の組合せ表示図である。
【図２】本考案のスライド棚板位置決め装置のスライド部の組合せ表示図である。
【図３】本考案のスライド棚板位置決め装置の係止部品の立体図である。
【図４】本考案のスライド棚板位置決め装置のスライド部の第１縮入状態側面図である。
【図５】本考案のスライド棚板位置決め装置のスライド部の第２縮入状態側面図である。
【図６】本考案のスライド棚板位置決め装置のスライド部の第３縮入状態側面図である。
【図７】本考案のスライド棚板位置決め装置のスライド部の第４縮入状態側面図である。
【図８】本考案のスライド棚板位置決め装置のスライド部の第１伸長状態側面図である。
【図９】本考案のスライド棚板位置決め装置のスライド部の第２伸長状態側面図である。
【図１０】本考案のスライド棚板位置決め装置のスライド部の第３伸長状態側面図である。
【図１１】本考案のスライド棚板位置決め装置と第２スライドの形成する夾角表示図である。
【図１２】本考案のスライド棚板位置決め装置のスライド部の縮入位置側面図である。
【図１３】本考案のスライド棚板位置決め装置のスライド部の伸長状態側面図である。
【図１４】本考案のスライド棚板位置決め装置の別の実施例の立体組合せ図である。
【図１５】本考案のスライド棚板位置決め装置の別の実施例の側面図である。
【符号の説明】
【００２２】
１  スライド棚
１１  支持フレーム
１１１  第１支持部
１１２  第２支持部
１１３  第３支持部
１２  スライド部
１２１  固定ケース
１２２  第１スライド
１２２１  第１スライド面
１２２２  第２スライド面
１２３  第２スライド
１２３１  第３貫通孔
１２３２  上部凸面
１２３３  前端上面
１３  棚板
１３１  前受け板
１３２  後ろ受け板
１３３  左受け板
１３４  右受け板
１３５  中央受け板
１３６  ホルダフレーム
１３７  板体
１４  位置決め構造
１４１  係止部品
１４１１  凹溝
１４１２  位置決め溝
１４１３  第１貫通孔
１４１４  スライド面
１４１５  操作面
１４１６  孔
１４１７  上面
１４１８、１４１９  側面
１４２  位置決め部品
１４３  ねじりバネ
１４３１  第２貫通孔
１４３２  第１弾性端
１４３３  第２弾性端
１４４  固定部品
２  位置決めフレーム
２１  位置決め空間
３  縮入位置
４  縮入状態
４１  第１縮入状態
４２  第２縮入状態
４３  第３縮入状態
４４  第４縮入状態
５  伸長状態
５１  第１伸長状態
５２  第２伸長状態
５３  第３伸長状態
６  縮入方向
７  伸長方向
８  作用力
９  施力
ｄ  特定距離
θ  特定角度
【図１】
0003109546.tif 000003
【図２】
0003109546.tif 000004
【図３】
0003109546.tif 000005
【図４】
0003109546.tif 000006
【図５】
0003109546.tif 000007
【図６】
0003109546.tif 000008
【図７】
0003109546.tif 000009
【図８】
0003109546.tif 000010
【図９】
0003109546.tif 000011
【図１０】
0003109546.tif 000012
【図１１】
0003109546.tif 000013
【図１２】
0003109546.tif 000014
【図１３】
0003109546.tif 000015
【図１４】
0003109546.tif 000016
【図１５】
0003109546.tif 000017